(57)【特許請求の範囲】
【請求項１】
熱交換器及びファンを収容したユニット本体に、吸込口及び吹出口を備えた天井パネルが取り付けられて構成された天井埋込型空気調和機において、
上記ユニット本体の外周を覆うようにして複数枚の化粧カバーが配置され、これら化粧カバーと略同一の幅を有し、当該化粧カバーの裏面側をそれぞれ支持する断面略Ｌ字状の補強金具を介して、上記化粧カバーの下端部を上記天井パネルに固定するとともに、対向する一対の上記化粧カバーの上端部同士を化粧部材としても機能する補強天板で連結したことを特徴とする天井埋込型空気調和機。
【請求項２】
少なくとも１枚の上記化粧カバーには、上記ユニット本体に接続される配管を連通させる挿通孔が形成されていることを特徴とする請求項１に記載の天井埋込型空気調和装置。
【発明の詳細な説明】
【０００１】
【発明の属する技術分野】
本発明は、天井埋込型空気調和機の構造の改良に関する。
【０００２】
【従来の技術】
天井埋込型空気調和機は、熱交換器、ファン及びファンモータなどを収容したユニット本体に天井パネルが取り付けられて構成され、天井パネルの中央位置に吸込口が、この吸込口の周囲に吹出口が形成されている。
【０００３】
このような天井埋込型空気調和機は、建物の天井に垂下された吊りボルトにユニット本体が支持されて、天井に懸吊される。このとき、一般に、天井パネルが建物の天井板の開口に嵌装されて、天井埋込型空気調和機のユニット本体は外部から見えない状態とされる。
【０００４】
【発明が解決しようとする課題】
しかしながら、建物によっては天井板がなく、天井に吊り下げられた天井埋込型空気調和機のユニット本体が外部に露出してしまう場合がある。ユニット本体は、外表面に塗装などが施されていない無垢の鋼板であり、表面には断熱材が貼着されているため、ユニット本体が外部に露出すると、天井埋込型空気調和機の美観が損なわれる虞がある。
【０００５】
本発明の課題は、上述の事情を考慮してなされたものであり、ユニット本体が露出した状態で建物の天井に設置された場合にも、美観を向上させることができる天井埋込型空気調和機を提供することにある。
【０００６】
【課題を解決するための手段】
請求項１記載の発明は、熱交換器及びファンを収容したユニット本体に、吸込口及び吹出口を備えた天井パネルが取り付けられて構成された天井埋込型空気調和機において、
上記ユニット本体の外周を覆うようにして複数枚の化粧カバーが配置され、これら化粧カバーと略同一の幅を有し、当該化粧カバーの裏面側をそれぞれ支持する断面略Ｌ字状の補強金具を介して、上記化粧カバーの下端部を上記天井パネルに固定するとともに、対向する一対の上記化粧カバーの上端部同士を化粧部材としても機能する補強天板で連結されたものである。
【０００７】
請求項２記載の発明は、請求項１に記載の発明において、少なくとも１枚の上記化粧カバーには、上記ユニット本体に接続される配管を連通させる挿通孔が形成されたものである。
【０００９】
本発明には、次の作用がある。
【００１０】
化粧部材がユニット本体の外側（又は外周）を覆うように配設されたことから、天井埋込型空気調和機がそのユニット本体を露出した状態で天井に設置された場合にも、上記ユニット本体が化粧部材に覆われて外部から見えなくなるので、天井埋込型空気調和機の美観を向上させることができる。
【００１２】
複数枚の板を備えてなる化粧部材が補強板により連結されて構成されたことから、この補強板により化粧部材の剛性を良好に確保できる。
【００１３】
【発明の実施の形態】
以下、本発明の実施の形態を図面に基づいて説明する。
【００１４】
図１は、本発明に係る天井埋込型空気調和機の一実施の形態を、吸込グリルを省略して示す底面図である。図２は、図１の天井埋込型空気調和機の縦断面図である。
【００１５】
図２に示すように、符号１０は天井埋込型空気調和機を示し、この空気調和機１０は、建屋１３の天井空間１１内に吊り下げて固定されている。この空気調和機１０は、四方向吹き出し型の空気調和機であり、ユニット本体１２と天井パネル１４とを有して構成される。
【００１６】
図１及び図２に示すように、天井パネル１４の中央位置に吸込口１６が開口し、この天井パネル１４の吸込口１６の四方向の周囲に、合計４つの吹出口１８が開口している。上記天井パネル１４の吸込口１６に、図３にも示す吸込グリル１７及びエアフィルタ２０が設けられる。このエアフィルタ２０は、吸込グリル１７に載置されて吸入空気を浄化する。
【００１７】
天井埋込型空気調和機１０のユニット本体１２内には、図１及び図２に示すように、ファンモータ２４と、ターボファン２６と、これらを囲むようにほぼ矩形状に曲げて形成された熱交換器３８と、電装箱３６とが収容されている。この熱交換器３８は、管板４０、４２間が仕切り板２８によって仕切られ、この仕切り板２８で仕切られた熱交換器３８の外側の空間４３には、ドレンポンプ３０、ドレン配管３２、冷媒配管３４、３５等が収容されている。冷媒配管３４、冷媒配管３５は、それぞれいわゆる液管、ガス管であり、熱交換器３８に接続されて、室外機（図示せず）から熱交換器３８へ冷媒を導く。
【００１８】
ユニット本体１２には、図７に示すように、天井パネル１４が、その四隅部に形成されたボス部４４にボルトなどの締結手段を用いて一体に固定される。また、図２に示すように、建屋１３の天井４５に、例えば４本の吊下ボルト４６が垂下されており、ユニット本体１２の吊り金具４７が吊下ボルト４６に止着されて、天井埋込型空気調和機１０が建屋１３の天井４５に懸吊される。
【００１９】
図１〜図３において、ユニット本体１２内のファンモータ２４が作動すると、ターボファン２６が回転し、室内Ｒの空気は吸込グリル１７を経て吸込口１６から吸い込まれ、エアーフィルタ２０で清浄化された後、熱交換器３８に送られ、この熱交換器３８で熱交換された後、四か所の吹出口１８から室内Ｒに吹き出される。
【００２０】
この場合に、吸込口１６から吸い込まれて熱交換された室内空気は、ユニット本体１２のコーナー部に位置する仕切り板２８の存在により、ドレンポンプ３０、ドレン配管３２、冷媒配管３４及び３５等の付近へは漏れず、四方の吹出口１８を通じて、ほぼ確実に室内Ｒに吹き出される。
【００２１】
さて、上述の天井埋込型空気調和機１０においては、図２及び図４〜図８に示すように、ユニット本体１２の全外周を覆うようにして、化粧部材としての化粧カバー４８Ａ及び４８Ｂが天井パネル１４に立設される。
【００２２】
ここで、ユニット本体１２は、図２に示すように、長手状の２枚の側板４９Ａが対向配置され、短手状の２枚の側板４９Ｂが対向配置されて四角形状の枠を構成し、これら４枚の側板４９Ａ及び４９Ｂの上端部に天板５０が溶接等により固着されて構成されたものである。そして、このユニット本体１２の側板４９Ａ、４９Ｂ及び天板５０の内外表面に断熱材が貼着されている。また、ユニット本体１２の側板４９Ａ、４９Ｂ及び天板５０は、一般に、塗装などの化粧が施されていない鋼板にて構成されている。
【００２３】
上記化粧カバー４８Ａは、図２及び図４〜図８に示すように、側板４９Ａの外側を覆う長手形状の板であり、上記化粧カバー４８Ｂは、側板４９Ｂの外側を覆う短手形状の板である。これらの化粧カバー４８Ａ及び４８Ｂはカラー鋼板又は無垢の鋼板の外表面に塗装が施されたものにて構成されている。更に、化粧カバー４８Ｂの一方には、ドレン配管３２、冷媒配管３４及び３５を連通させる挿通口５８が開口されている。
【００２４】
天井パネル１４の裏面側（ユニット本体１２取付側）には、化粧パネル１８の外側位置に、長手形状の補強金具５１Ａと短手形状の補強金具５１Ｂとが、さらねじ５２などの締結手段により固定される。そして、上記化粧カバー４８Ａは補強金具５１Ａに、上記化粧カバー４８Ｂは補強金具５１Ｂに、それぞれ化粧ビス５３などの締結手段により固定されて立設される。更に、化粧カバー４８Ｂの両端部は、化粧ビス５４によって、化粧カバー４８Ａの両端部に形成されたフランジ面５５に固着される。
【００２５】
このようにして天井パネル１４に立設された化粧カバー４８Ａ及び４８Ｂにより、ユニット本体１２の側板４９Ａ及び４９Ｂが覆われて、ユニット本体１２が露出しないよう設けられる。
【００２６】
また、これらの化粧カバー４８Ａ及び４８Ｂの上端面に、化粧部材としても機能する１枚又は複数枚（例えば３枚）の補強天板５６が化粧ビス５７により固着されて、立設配置された化粧カバー４８Ａ及び４８Ｂの剛性が良好に確保される。この補強天板５６は、２枚の化粧カバー４８Ｂ間に掛け渡されるようにして配置され、天井パネル１４に固定されたユニット本体１２の天板５０の上方に位置付けられる。
【００２７】
次に、化粧カバー４８Ａ、４８Ｂ及び補強天板５６の組立手順を説明する。
【００２８】
まず、天井パネル１４に、補強金具５１Ａ及び５１Ｂをさらねじ５２を用いて固着する。次に、化粧カバー４８Ａを補強金具５１Ａに化粧ビス５３を用いて固着し、同様にして、化粧カバー４８Ｂを補強金具５１Ｂに化粧ビス５３を用いて固着する。その後、化粧カバー４８Ａのフランジ面５５に化粧カバー４８Ｂの両端部を化粧ビス５４を用いて固着する。
【００２９】
次に、化粧カバー４８Ａ及び４８Ｂが立設された天井パネル１４を、そのボス部４４によってボルト等を用い、天井４５に吊り下げられたユニット本体１２に取り付ける。最後に、補強天板５６を、化粧カバー４８Ｂ間に掛け渡すようにして、化粧カバー４８Ａ及び４８Ｂに化粧ビス５７を用いて固着する。このようにして、化粧カバー４８Ａ、４８Ｂ及び補強天板５６の組立を完了する。
【００３０】
また、天井に吊り下げられたユニット本体１２に天井パネル１４を取り付けた後に、化粧カバー４８Ａ、４８Ｂ及び補強天板５６を取り付けてもよい。
【００３１】
従って、上記実施の形態の天井埋込型空気調和機１０によれば、次の効果▲１▼及び▲２▼を奏する。
【００３２】
▲１▼化粧カバー４８Ａ及び４８Ｂがユニット本体１２の側板４９Ａ及び４９Ｂの外周を覆うように配設されたことから、天井埋込型空気調和機１０がユニット本体１２を露出した状態で建屋１３の天井４５に設置された場合にも、ユニット本体１２が化粧カバー４８Ａ及び４８Ｂに覆われて外部から見えなくなるので、天井埋込型空気調和機１０の美観を向上させることができる。
【００３３】
▲２▼複数枚の板からなる化粧カバー４８Ａ及び４８Ｂが補強天板５６にて連結されて構成されたことから、これらの補強天板５６により化粧カバー４８Ａ及び４８Ｂの剛性を良好に確保できる。
【００３４】
以上、一実施の形態に基づいて本発明を説明したが、本発明はこれに限定されるものではない。
【００３５】
例えば、補強天板５６が１枚の板により構成されてユニット本体１２の天板５０の外側に位置し、化粧カバー４８Ａ及び４８Ｂと共に、ユニット本体１２の外側すべてを覆うようにしてもよい。
【００３６】
また、上記実施の形態では、化粧カバー４８Ａ、４８Ｂによりユニット本体１２の全外周（側板４９Ａ及び４９Ｂ）を覆うものを述べたが、化粧カバー４８Ａと４８Ｂの合計が１枚、２枚又は３枚であって、ユニット本体１２の外周の一部を覆うようにしてもよい。
【００３７】
更に、化粧カバー４８Ａ、４８Ｂが天井パネル１４に立設されず、ユニット本体１２の側板４９Ａ、４９Ｂの外表面に、又は側板４９Ａ、４９Ｂに貼着された断熱材の外表面に貼着されるようにしてもよい。
【００３８】
【発明の効果】
以上のように、本発明に係る天井埋込型空気調和機によれば、ユニット本体の外側を覆うようにして化粧部材が配設されたことから、天井埋込型空気調和機が、ユニット本体を露出した状態で建物の天井に設置された場合にも、その美観を向上させることができる。
【図面の簡単な説明】
【図１】本発明に係る天井埋込型空気調和機の一実施の形態を、吸込グリルを省略して示す底面図である。
【図２】図１の天井埋込型空気調和機の縦断面図である。
【図３】図１の天井埋込型空気調和機の吸込グリルを装着した状態を示す底面図である。
【図４】図１の天井埋込型空気調和機の平面図である。
【図５】図４のＶ視矢視図である。
【図６】図４のVI視矢視である。
【図７】図１の天井埋込型空気調和機における化粧カバーの取付手順における前半行程を示す斜視図である。
【図８】図７の取付手順の後半行程を示す斜視図である。
【符号の説明】
１０  天井埋込型空気調和機
１２  ユニット本体
１３  建屋
１４  天井パネル
１６  吸込口
１８  吹出口
２４  ターボファン
３８  熱交換器
４５  天井
４８Ａ，４８Ｂ  化粧カバー
５１Ａ，５１Ｂ  補強金具
５６  補強天板
【図１】
0003935598.tif 000002
【図２】
0003935598.tif 000003
【図３】
0003935598.tif 000004
【図４】
0003935598.tif 000005
【図５】
0003935598.tif 000006
【図６】
0003935598.tif 000007
【図７】
0003935598.tif 000008
【図８】
0003935598.tif 000009